(57)【要約】【課題】  ユーザがチャンネルを切り換えた時にすばやく映像および音声の再生を行うことを目的とする。【解決手段】  テレビジョン放送信号を受信する第１の復調部５および第２の復調部６を備えたディジタル放送受信装置において、ユーザがＧＵＩを操作して選局を行う際に、ＧＵＩ上のカーソルＣＳの位置のチャンネル番号を取得し、どちらか一方の復調部で取得したチャンネル番号の受信を予め開始して映像および音声データを復号（８、１１）しておき、ユーザが決定キーを押下した時、出力する映像および音声データを切り換える（９、１２）。【選択図】        図１
2006238276.tif 000002
【特許請求の範囲】
【請求項１】
複数のチャンネルの中から選択された第１のチャンネルの放送信号に基づいて映像表示を行わせているときに、
チャンネル選択のためのＧＵＩを表示させ、
前記ＧＵＩにおいて第２のチャンネルが選択されているとき、該第２のチャンネルの放送信号を復号し、
第２のチャンネルが決定されたとき、前記第２のチャンネルの放送信号に基づく映像表示を開始する
ことを特徴とするディジタル放送受信方法。
【請求項２】
前記ＧＵＩは前記第１のチャンネルとは異なるチャンネルを選択するためのカーソルを含んで構成され、
前記カーソルが移動される度に、該移動後に前記カーソルにより選択されているチャンネルを前記第２のチャンネルとして、そのチャンネルの放送信号の復号を開始する
ことを特徴とする請求項１に記載のディジタル放送受信方法。
【請求項３】
前記カーソルによって選択されているチャンネルの検出を周期的に行い、該検出の際前記カーソルにより選択されているチャンネルを前記第２のチャンネルとして、そのチャンネルの放送信号の復号を開始することを特徴とする請求項１に記載のディジタル放送受信方法。
【請求項４】
選択されたチャンネルの番組付加情報を抽出して記憶し、前記映像表示の開始とともに、前記記憶された番組付加情報の出力を開始する
ことを特徴とする請求項１に記載のディジタル放送受信方法。
【請求項５】
前記第１のチャンネル、前記第２のチャンネル、前記第１のチャンネルに対応する第１の信号もしくは前記第２のチャンネルに対応する第２の信号のいずれの信号を復号するかを示す第１のデータ、及び前記第１の信号を復号した信号もしくは前記第２の信号のいずれを出力するかを示す第２のデータを記憶し、
該記憶したデータを用いて、チャンネルの切換を行う
ことを特徴とする請求項１乃至４のいずれかに記載のディジタル放送受信方法。
【請求項６】
前記ＧＵＩは、
電子番組ガイド、
チャンネル一覧、
ユーザ設定によるチャンネル一覧、
裏番組一覧、又は
選局可能なチャンネル
を含む画面である
ことを特徴とする請求項１乃至５のいずれかに記載のディジタル放送受信方法。
【請求項７】
前記第２のチャンネルが前記第１のチャンネルと同じであるときは、前記第１のチャンネルから第２のチャンネルへの切り替えを行わないことを特徴とする請求項１に記載のディジタル放送受信方法。
【請求項８】
前記ＧＵＩが電子番組ガイドの表示を含み、
前記チャンネルの選択が番組の選択によって行われ、
カーソルにより前記電子番組ガイドの将来放送される予定の番組が選択されているときは、前記カーソルにより選択されているチャンネルの放送信号の復号を開始するための動作を行わないことを特徴とする請求項１に記載のディジタル放送受信方法。
【請求項９】
ユーザが前記決定キーの操作により前記第２のチャンネルの放送信号に基づく映像表示を開始した後、前記第１のチャンネルの放送信号の受信を停止することを特徴とする請求項１に記載のディジタル放送受信方法。
【請求項１０】
互いに異なるチャンネルのテレビジョン放送信号を復調する第１及び第２の復調手段と、
前記第１及び第２の復調手段のいずれかで復調したチャンネルの放送信号を復号して映像データを出力する信号処理手段と、
前記信号処理手段から出力される映像データに対応する映像及び前記チャンネルを選択するためのＧＵＩを表示する映像出力手段と、
前記第１及び第２の復調手段の一方で第１のチャンネルの放送信号に基づく映像及び前記ＧＵＩを表示しているときであって、かつ前記ＧＵＩにおいて前記複数のチャンネルの中の第２のチャンネルが選択されているときに、前記信号処理手段において、前記第２のチャンネルの放送信号を復号させる制御手段を備える
ディジタル放送受信装置。
【請求項１１】
前記制御手段は、前記第２のチャンネルが決定された後に、前記第２のチャンネルの放送信号に基づく映像表示を開始させる
ことを特徴とする請求項１０に記載のディジタル放送受信装置。
【請求項１２】
前記ＧＵＩは前記第１のチャンネルとは異なるチャンネルを選択するためのカーソルを含んで構成され、
前記制御手段は、前記カーソルの移動を検出し、前記カーソルの移動後に前記カーソルにより選択されているチャンネルを前記第２のチャンネルとして、そのチャンネルの放送信号の復号を開始させることを特徴とする請求項１０に記載のディジタル放送受信装置。
【請求項１３】
前記制御手段は、
前記カーソルによって選択されているチャンネルの検出を周期的に行い、該検出の際前記カーソルにより選択されているチャンネルを前記第２のチャンネルとして、そのチャンネルの放送信号の復号を開始させることを特徴とする請求項１０に記載のディジタル放送受信装置。
【請求項１４】
選択されたチャンネルの番組付加情報を記憶するメモリをさらに有し、前記制御手段は、前記映像表示の開始とともに、前記メモリに記憶された番組付加情報の出力を開始する
ことを特徴とする請求項１０に記載のディジタル放送受信装置。
【請求項１５】
前記メモリは、
前記第１のチャンネル、前記第２のチャンネル、前記第１のチャンネルに対応する第１の信号もしくは前記第２のチャンネルに対応する第２の信号のいずれの信号を復号するかを示す第１のデータ、及び前記第１の信号を復号した信号もしくは前記第２の信号のいずれを出力するかを示す第２のデータを記憶し、
前記制御手段は、前記メモリに記憶されているデータを用いてチャンネルの切換を行う
ことを特徴とする請求項１０乃至１４のいずれかに記載のディジタル放送受信装置。
【請求項１６】
前記ＧＵＩは、
電子番組ガイド、
チャンネル一覧、
ユーザ設定によるチャンネル一覧、
裏番組一覧、又は
選局可能なチャンネル
を含む画面である
ことを特徴とする請求項１０乃至１５のいずれかに記載のディジタル放送受信装置。
【請求項１７】
前記制御手段は、前記第２のチャンネルが前記第１のチャンネルと同じであるときは、前記第１のチャンネルから第２のチャンネルへの切り替えを行わないことを特徴とする請求項１０に記載の記載のディジタル放送受信装置。
【請求項１８】
前記ＧＵＩが電子番組ガイドの表示を含み、
前記チャンネルの選択が番組の選択によって行われ、
前記制御手段は、カーソルにより前記電子番組ガイドの将来放送される予定の番組が選択されているときは、前記信号処理回路に、前記カーソルにより選択されているチャンネルの放送信号の復号を開始するための動作を行わせない
ことを特徴とする請求項１０に記載のディジタル放送受信装置。
【請求項１９】
互いに異なるチャンネルのテレビジョン放送信号を第１及び第２の復調手段で受信し、
前記制御手段は、ユーザが前記決定キーの操作により前記第２のチャンネルの放送信号に基づく映像表示を開始した後、前記第１のチャンネルの放送信号の受信を停止させる
ことを特徴とする請求項１０に記載のディジタル放送受信装置。
【発明の詳細な説明】
【技術分野】
【０００１】
本発明は、テレビジョン放送信号を受信するディジタル放送受信装置及び方法に関する。
【背景技術】
【０００２】
近年、放送衛星、通信衛星などを介して、テレビジョン放送信号をディジタル化して伝送するディジタル放送が実用化されている。ディジタル放送では、多くのチャンネル送信が可能となりユーザにとっては選局（チャンネル選択）の幅が広がっている。
【０００３】
ディジタル放送の多チャンネル化に伴い、従来のテンキー入力によるダイレクト選局やチャンネルアップ／ダウン（ＵＰ／ＤＯＷＮ）キーによる選局方法では、ユーザが所望するチャンネルへの切り換えが困難であるため、現在ディジタル放送受信装置の選局方法の１つとしてＧＵＩ（グラフィカルユーザインターフェース）を使用して多くのチャンネルを表示した中から所望のチャンネルを選択してチャンネルを切り換える選局方法が用いられている。
【０００４】
このディジタル放送の映像データの符号化には、差分符号化、例えばＭＰＥＧ（Ｍｏｖｉｎｇ  Ｐｉｃｔｕｒｅ  Ｅｘｐｅｒｔｓ  Ｇｒｏｕｐ）方式による差分符号化が採用されている。ＭＰＥＧ符号化では、映像データがＩピクチャ、Ｐピクチャ、Ｂピクチャの３種類のデータを含む。Ｉピクチャは、１コマの画像をそのまま圧縮して作成されたものであり、圧縮率は低いが精度は高く、Ｐピクチャは、過去のＩピクチャやＰピクチャから予測（順方向予測）して作成されたものであり、Ｉピクチャより圧縮率は高くて精度は同等であり、Ｂピクチャは、過去と未来のＩピクチャやＰピクチャから予測（双方向予測）して作成されたものであり、Ｐピクチャより圧縮率が高くて精度は同等となる。
【０００５】
この方式の問題は、Ｉピクチャはそれ自体全ての情報を含んでいるので単独で復号できるが、ＰピクチャおよびＢピクチャは差分情報のみとなるので予測画像が無ければ復号できなくなることである。
【０００６】
つまり、従来のディジタル放送受信装置では、チャンネル切り換えを指示した時点でＩピクチャを受信していなければ直ちに映像データの復号を行うことができず、次にＩピクチャを受信するまで映像データの復号を開始することができず、ユーザが所望する映像データを再生するまでにタイムラグが発生し、ユーザに違和感を与えるという問題があった。
【０００７】
上記の問題を解決するため、予め設定された手順に従って自動的に次のチャンネル候補を決定し、複数のチューナのいずれかの出力を復号して映像表示するとともに、他のチューナにそれぞれ次チャンネル候補を指定し、指定されたチャンネル候補の受信データを復号しておき、チャンネル候補のいずれかへの切り換え指示があったときは、そのチャンネル候補の、すでに復号化されている受信データを用いて表示を開始する方法が提案されている（特許文献１参照）。
【０００８】
【特許文献１】特開２０００−１０１４６７号公報（段落０００７、００１４、００４５及び００４６、図１）
【発明の開示】
【発明が解決しようとする課題】
【０００９】
上記のようなディジタル放送受信装置では、次に選択される次チャンネル候補の数だけチューナを設ける必要があるため、装置の回路規模が大きく、基板サイズも大きく、製造コストが高く、またチューナの数だけ消費電力が多いという問題点があった。
【００１０】
本発明は、上述のような課題を解消するためになされたもので、装置の回路規模が比較的小さく、しかも、切り換え指示に対し、新たに選択されたチャンネルの受信データを迅速に表示することができるディジタル放送受信方法及び装置を提供することを目的とする。
【課題を解決するための手段】
【００１１】
本発明は、
複数のチャンネルの中から選択された第１のチャンネルの放送信号に基づいて映像表示を行わせているときに、
チャンネル選択のためのＧＵＩを表示させ、
前記ＧＵＩにおいて第２のチャンネルが選択されているとき、該第２のチャンネルの放送信号を復号し、
第２のチャンネルが決定されたとき、前記第２のチャンネルの放送信号に基づく映像表示を開始する
ことを特徴とするディジタル放送受信方法を提供する。
【発明の効果】
【００１２】
本発明によれば、チャンネルの切り換えが指示されたときに、新たに選択されたチャンネルの受信データを速やかに表示することができる。また、復調部の数は２つだけ良いため、回路規模が比較的小さく消費電力も少ないという利点がある。
【発明を実施するための最良の形態】
【００１３】
以下、本発明の実施の形態につき添付の図面を参照して説明する。
実施の形態１．
図１は本発明の実施の形態１のディジタル放送受信装置のブロック図を示すものであり、図５（Ａ）及至図５（Ｅ）は図１に示されるメモリに保存される復調部の状態の内容を説明した図である。
【００１４】
図１に示すように、本実施の形態のディジタル放送受信装置は、制御部１と、リモコン１６等から入力されるユーザ操作情報（例えばリモコン１におけるユーザのキー操作によって発生された操作信号）を受信するキー操作受信部２と、番組付加情報および復調部状態を表すデータ（以下、復調部情報とも言う）を記憶するメモリ３と、テレビジョン放送信号を受信するアンテナ４に接続された第１及び第２の復調部５および６と、デマルチプレクサ７と、ＭＰＥＧ映像デコーダ８と、映像データの出力を切り換える映像切換部９と、映像合成部１５と、映像データを出力する映像出力装置１０と、ＭＰＥＧ音声デコーダ１１と、音声データの出力を切り換える音声切換部１２と、音声データを出力する音声出力装置１３とを有する。
第１の復調部５は第１のチューナ５ａを含んで構成され、第２の復調部６は第２のチューナ６ａを含んで構成される。
【００１５】
第１及び第２の復調部５及び６は、それぞれ異なるチャンネルのテレビジョン放送信号を復調する。
デマルチプレクサ７は、第１および第２の復調部で復調したデータをＭＰＥＧ映像データと、ＭＰＥＧ音声データと番組付加情報に分離して出力する。番組付加情報には、例えば字幕、文字ニュースなどがある。
ＭＰＥＧ映像デコーダ８は、デマルチプレクサ７で分離されたＭＰＥＧ映像データ、即ち第１及び第２の復調部５及び６における復調の結果得られる放送データのうちの映像データを復号する。
【００１６】
ＭＰＥＧ音声デコーダ１１は、デマルチプレクサ７で分離されたＭＰＥＧ音声デコーダ、即ち第１及び第２の復調部５及び６における受信及び復調の結果得られる放送データのうちの音声データを復号する。
番組付加情報はメモリ３に記憶される。
【００１７】
映像切換部９は、ＭＰＥＧ映像デコーダ８で復号された映像データの出力を切り換える。即ち、第１の復調部５の出力をＭＰＥＧ映像デコーダ８で復号したもの又は第２の復調部６の出力をＭＰＥＧ映像デコーダ８で復号したもののいずれかを選択して出力する。
【００１８】
音声切換部１２は、ＭＰＥＧ音声デコーダ１１で復号された音声データの出力を切り換える。即ち、第１の復調部５の出力をＭＰＥＧ音声デコーダ１１で復号したもの又は第２の復調部６の出力をＭＰＥＧ音声デコーダ１１で復号したもののいずれかを選択して出力する。
【００１９】
映像合成部１５は、映像切換部９から出力される映像データと、後述のように制御部１から出力されるＧＵＩ（グラフィカルユーザインターフェース）用のボタンなどを表す映像データと、メモリ３から読み出される番組付加情報を、制御部１からの指示に従って合成し、合成の結果得られた映像データを出力する。
映像出力装置１０は、映像合成部１５から出力される映像データを出力（表示）する。
音声出力装置１３は、音声切換部１２から出力される音声データを出力する。
【００２０】
上記のうち、ＭＰＥＧ映像デコーダ８と映像切換部９とで、第１及び第２の復調部５及び６のいずれかで選択したチャンネルの放送信号を復号して映像表示に用いられる映像信号を出力する映像信号処理回路２１が構成されている。また、ＭＰＥＧ音声デコーダ１１と音声切換部１２とで、第１及び第２の復調部５及び６のいずれかで選択したチャンネルの放送信号を復号して音声出力に用いられる音声信号を出力する音声信号処理回路２２が構成されている。
【００２１】
メモリ３は、デマルチプレクサ７で分離した番組付加情報を記憶する。
メモリ３はまた、第１の復調部で受信しているチャンネル、および第２の復調部で受信しているチャンネルを示すデータと、第１及び第２の復調部５及び６で受信した信号の復号を行うべきか否かを示すデータ（受信チャンネルの復号状態）と、第１及び第２の復調部５及び６で受信した信号を復号したものを出力すべきか否かを示すデータ（受信チャンネルの出力状態）とを復調部情報として記憶する。このような、メモリに記憶されたデータにより、制御部１において、選局動作時に第１及び第２の復調部５及び６の情報管理を行うことができる。
【００２２】
キー操作受信部２は、リモコン１６などにおけるユーザのキー操作によって発生された操作信号を受信する。リモコン１６は例えば図２に示されるように、ＧＵＩ表示キー１００と、カーソルによるチャンネルの選択を変更するための上キー１０１、下キー１０２、左キー１０３及び右キー１０４と、決定キー１０５とを含む。リモコン１６は図示のキー以外のキーをも有するが、それらの図示は省略してある。
【００２３】
制御部１は、例えば後述のような動作を行うためのプログラムを備えたＣＰＵで構成されるものであり、第１及び第２の復調部において選択すべきチャンネルの指定、映像切換部９及び音声切換部１２において選択すべきデータの指定、映像出力装置１０における表示の制御、キー操作受信部２で受信された操作信号に基づくチャンネル選択のための処理などを制御する。
【００２４】
本発明においては、チャンネル選択はＧＵＩ（グラフィカルユーザインターフェース）によって行われる。このＧＵＩは、図２のＧＵＩ表示キー１００が押されると映像出力装置１０の表示画面に表示されるものであり、チャンネル変更のためのボタンを含む。また、制御部１は、このようなＧＵＩの表示のための映像データの生成、及びＧＵＩの表示のための映像データ（ボタンなど）と、映像切換部９から出力される映像データとの、映像合成部１５における合成のための制御も行う機能をも有する。
【００２５】
ＧＵＩは、電子番組ガイド、チャンネル一覧、ユーザ設定によるチャンネル一覧（例えば、お好みチャンネル一覧）、裏番組一覧等、選局可能なチャンネルを並べた画面であれば如何なるものであっても良いが、以下では、チャンネル一覧である場合について説明する。なお、前記裏番組一覧とは、同一時刻において、ある番組と同時に放送される番組（裏番組）の一覧である。
【００２６】
合成の結果生成され、映像出力装置１０の画面に表示される映像の一例が図３に示されている。図示のように、この映像には、映像切換部９で選択された、第１又は第２の復調部５又は６の出力を復号することにより得られた映像データに対応する部分２０１と、ＧＵＩの表示部分２０２、番組付加情報が表示される部分２０３とが含まれる。
【００２７】
ＧＵＩの表示部分２０２には、図４に示すように、上下左右にチャンネル番号ボタン（「０１」、「０６」、などとチャンネル番号を表示したボタン）が並べて表示されており、そのうち、上から３段目、左から３番目のボタン（「２２８」と言うボタン）にカーソルＣＳが重ねて表示されている。このカーソルＣＳはボタンの周縁に沿う太線（枠線）で構成されている。カーソルは上キー１０１、下キー１０２、左キー１０３、右キー１０４の操作により、上、下、左、右に移動させることができる。ここで言う「移動」はボタンに対するカーソルの相対的な移動であって、画面上でボタンが固定され、カーソルが移動することとしても良く、画面上にカーソルが固定され、ボタンが移動するようにしても良く、これらの２つの移動の態様の組み合わせでも良い。
【００２８】
カーソルＣＳが重ねて表示されているチャンネル番号ボタンは、「カーソルによって選択されている」と言う。また、チャンネル番号ボタンによって表されているチャンネルが「カーソルによって選択されている」とも言う。
【００２９】
なお、図示の例では、カーソルＣＳが枠線で構成されているが、このようにする代わりに、カーソルの位置するチャンネル番号ボタンの表示色を変更する（他のチャンネル番号ボタンとは異なる色にする）こととしても良い。この場合には、他のチャンネル番号ボタンとは異なる色になっているチャンネル番号ボタン乃至該チャンネル番号ボタンによって表されているチャンネルが「カーソルによって選択されている」と言う。
【００３０】
以下に詳しく説明するように、制御部１は、映像切換部９および音声切換部１２が第１の復調部５又は第２の復調部６の一方の出力をＭＰＥＧ映像デコーダ８及びＭＰＥＧ音声デコーダ１１で復号したものを選択し、これらに対応した映像及び音声が出力されている時に、ユーザがリモコン１６を操作して別のチャンネルに切り換える際、ＧＵＩ上のカーソルＣＳによって選択されているチャンネルの放送信号を第１の復調部５又は第２の復調部６の他方で選択して復調し、ＭＰＥＧ映像デコーダ８またはＭＰＥＧ音声デコーダ１１でそれぞれ復号し、映像出力及び音声出力の準備をしておく。例えば、カーソルＣＳの移動（上記のようにチャンネル番号ボタンに対するカーソルＣＳの相対的移動）が検出される度に、該移動後に前記カーソルにより選択されているチャンネルの放送信号の復号を開始する。
【００３１】
そして、決定キー１０５が押されたら、映像切換部９及び音声切換部１２で映像データ及び音声データを切り換える。即ち、それまで第１の復調部５の出力をＭＰＥＧ映像デコーダ８及びＭＰＥＧ音声デコーダ１１で復号したものを選択していた場合には、それ以後第２の復調部６の出力をＭＰＥＧ映像デコーダ８及びＭＰＥＧ音声デコーダ１１で復号したものを選択し、逆にそれまで第２の復調部６の出力をＭＰＥＧ映像デコーダ８及びＭＰＥＧ音声デコーダ１１で復号したものを選択していた場合には、それ以後第１の復調部５の出力をＭＰＥＧ映像デコーダ８及びＭＰＥＧ音声デコーダ１１で復号したものを選択する。こうすることで、決定キー１０５が押されたら直ちに新しく選択されたチャンネルの映像及び音声を出力させることができる。
【００３２】
以下、図１、図２、図３、図４、図５（Ａ）及至図５（Ｅ）、図６、及び図７を参照してさらに詳しく説明する。
【００３３】
一例として、映像出力装置１０及び音声出力装置１３により出力され、ユーザが現在視聴している映像および音声が、第１の復調部５で受信（選択）しているテレビジョン放送信号を復号することにより得られた映像データ及び音声データによるものであるとする。また第１の復調部５で受信（選択）されているチャンネルの番号が「１０３」であり、第２の復調部６で受信されているチャンネルの番号が「０２１」であるものとする。
【００３４】
このときメモリ３に保存されている「復調部状態を表すデータ」を図５（Ａ）に示す。図５（Ａ）に示すようにメモリ３に保存されている「復調部状態を表すデータ」には、第１及び第２の復調部で受信することが指示されているチャンネルを表すデータ（「受信チャンネル」）のほか、「デコード開始フラグ」及び「出力有効フラグ」が含まれ、これらがそれぞれの欄（フィールド）に記憶されている。
【００３５】
「デコード開始フラグ」は、対応する復調部の出力をＭＰＥＧ映像デコーダ８、ＭＰＥＧ音声デコーダ１１で復号することを制御部１が指示しているときは「１」であり、そうでないときは「０」である。
「出力有効フラグ」は、対応する復調部の出力をＭＰＥＧ映像デコーダ８及びＭＰＥＧ音声デコーダ１１で復号したものを映像切換部９及び音声切換部１２で選択することを制御部１が指示しているときは「１」であり、そうでないときは「０」である。
【００３６】
図５（Ａ）の状態では、第１及び第２の復調部５及び６の出力の双方について復号が指示されているので、「デコード開始フラグ」がともに「１」であり、第１の復調部５の出力を復号したものを映像切換部９及び音声切換部１２で選択することが指示されているので、第１の復調部のための「出力有効フラグ」が「１」であり、第２の復調部のための「出力有効フラグ」が「０」である。
【００３７】
まず、図６を参照してユーザがＧＵＩを用いてチャンネルを選択する時の動作説明を行う。
ユーザがリモコン１６のＧＵＩ表示キー１００を押下すると（ステップＳ１）、キー操作受信部２がこれ表す信号を受信して制御部１に送り、制御部１がこれに基づいて例えば図４に示すＧＵＩ（２０２）を表示する。
【００３８】
次にカーソルで選択されているチャンネルを検出し、カーソルで選択されているチャンネルのチャンネル番号を取得する（ステップＳ２）。このような動作を「カーソル位置のチャンネル番号を取得する」と言うこともある。
【００３９】
ステップＳ２でチャンネル番号を取得すると、次にメモリ３に保存されている「復調部状態を表すデータ」を参照して「出力有効フラグ」が「０」になっている復調部、図示の例では第２の復調部に対する「受信チャンネル」の欄及び「デコード開始フラグ」の欄に、図５（Ｂ）に示すように「０」を書き込む（ステップＳ３）。このようにして、これから裏で受信を開始する復調部を判別する。「裏で受信」と言うのは、復調部で受信をし、その出力を復号するものの映像切換部９及び音声切換部１２では選択せず、映像出力装置１０及び音声出力装置１３から出力しないことを意味する。
【００４０】
第２の復調部に対する復調部状態をクリアすると、次に、ステップＳ２で取得したチャンネル番号を制御部１が第２の復調部６に通知するとともに、メモリ３に保存されている第２の復調部に対する「受信チャンネル」の欄に、図５（Ｃ）に示すように、取得したチャンネル番号を書き込む（ステップＳ４）。
【００４１】
ステップＳ４で通知を受けた第２の復調部６は、通知されたチャンネル番号の受信を開始してＴＳ（トランスポートストリーム）データを抽出する（ステップＳ５）。このＴＳデータには、映像データ、音声データのほか、番組付加情報が含まれる。
【００４２】
ステップＳ５で第２の復調部６からＴＳ（トランスポートストリーム）データが出力されるとデマルチプレクサ７はＭＰＥＧ映像データおよびＭＰＥＧ音声データを抽出し、それぞれＭＰＥＧ映像デコーダ８およびＭＰＥＧ音声デコーダ１１へ出力する（ステップＳ６）。番組付加情報はメモリ３に記憶される。
【００４３】
ＭＰＥＧ映像デコーダ８およびＭＰＥＧ音声デコーダ１１は、ＭＰＥＧ映像データおよびＭＰＥＧ音声データを復号して映像および音声データを出力する（ステップＳ７）。
【００４４】
次にＭＰＥＧ映像デコーダ８から映像切換部９へ映像データが出力されると、制御部１がメモリ３に保存されている第２の復調部に対する「デコード開始フラグ」の欄に、図５（Ｄ）に示すように「１」を書き込む（ステップＳ８）。
【００４５】
ステップＳ１でＧＵＩ表示キー１００が押される代わりに、上キー１０１又は下キー１０２の押下によりカーソルか移動したときにも、ステップＳ２からＳ８の処理を実行する。
【００４６】
次に、ユーザがＧＵＩを用いてチャンネルを選択し、決定キー１０５を押下した時の動作を図７を参照して説明する。
【００４７】
図６を参照して上記したように、ユーザがＧＵＩを用いて所望のチャンネルを選択した後、リモコン１６の決定キー１０５を押下する（ステップＳ１０）と、メモリ３に保存されている第２の復調部に対する「受信チャンネル」の欄のチャンネル番号と現在出力中（視聴中）のチャンネル番号、即ち第１の復調部に対する「受信チャンネル」の欄のチャンネル番号との比較を行う（ステップＳ１１）。
【００４８】
ステップＳ１１における比較の結果、チャンネル番号が同じである場合は処理を終了する。即ちこの場合にはチャンネルの切り替えを行わない。より詳しく言うと、第２の復調部で受信した信号を復号した結果得られる映像信号及び音声信号の出力の開始を行わない。こうすることで、ユーザが視聴中のチャンネルと同じチャンネルの映像および音声データに切り換えてしまうことで発生する違和感をユーザに与えることを防ぐことができる。
【００４９】
ステップＳ１１における比較の結果、チャンネル番号が異なっている場合は、メモリ３に保存されている第２の復調部に対する「デコード開始フラグ」の欄が「１」にセットされるのを待って（ステップＳ１２）、ステップＳ１３に進む。
【００５０】
ステップＳ１３では、制御部１が映像切換部９および音声切換部１２に対して切換命令を通知するとともに、図５（Ｅ）に示すように、メモリ３に保存されている第２の復調部に対する「出力有効フラグ」の欄に「１」を書き込み、第１の復調部に対する「出力有効フラグ」の欄に「０」を書き込む。
【００５１】
ステップＳ１３で通知を受けた映像切換部９および音声切換部１２は、映像及び音声データを切り換える。即ち、これまで選択していた、第１の復調部５で受信しているテレビジョン放送信号を復号した結果得られた映像および音声データの代わりに、第２の復調部６で受信しているテレビジョン放送信号を復号した結果得られた映像および音声データを選択して、映像出力装置１０および音声出力装置１３へ出力する（ステップＳ１４）。このとき、同時に番組付加情報（ステップＳ６でメモリ３に記憶されたもの）をメモリ３から読み出して、映像合成部１５に供給する。映像合成部１５では、番組付加情報を映像に合成して出力する。
【００５２】
ステップＳ１４で出力が開始されると、制御部１は第１の復調部５に対して受信停止命令を通知して第１の復調部５は受信処理を停止する（ステップＳ１５）。このように受信停止を行うことで、消費電力の増加を抑えることができる。
【００５３】
本実施の形態１は以上のように構成されているので、テレビジョン放送信号を受信する第１の復調部および第２の復調部を備えたディジタル放送受信装置において、ユーザがＧＵＩを用いて選局を行う際に、ＧＵＩ上のカーソルが移動する度にカーソル位置のチャンネル番号を取得し、現在映像切換部及び音声切換部で選択されている復調部（選択されている映像データ、音声データの元となっている放送信号を受信している復調部）とは異なる復調部で取得したチャンネル番号の受信を開始して映像および音声データを復号しておき、ユーザが決定キー１０５を押下した時、出力する映像および音声データを切り換えることですばやく映像および音声の再生を行うことができるため、選局時にユーザに与える違和感を無くし、かつ備えた復調部数が２つであるためコストおよび基板サイズおよび消費電力の増加を抑えることができる。
【００５４】
実施の形態２．
実施の形態２のディジタル放送受信装置は、図１乃至図４に示された実施の形態１の装置と概して同じであるが以下の点で異なる。即ち、制御部１が、映像切換部９および音声切換部１２が第１又は第２の復調部５及び６の一方の出力をＭＰＥＧ映像デコーダ８及びＭＰＥＧ音声デコーダ１１で復号したものを選択し、これらに対応した映像及び音声が出力されている時に、ユーザがリモコン１６を操作して別のチャンネルに切り換える際、実施の形態１では、カーソルＣＳの移動（上記のようにチャンネル番号ボタンに対するカーソルＣＳの相対的移動）が検出される度に、該移動後に前記カーソルにより選択されているチャンネルの放送信号の復号を開始するが、実施の形態２では、周期的に、例えば一定時間間隔で、カーソルＣＳによって選択されているチャンネルの検出を行い、該検出の際カーソルＣＳにより選択されているチャンネルの放送信号の復号を開始する。
【００５５】
その後、決定キー１０５が押されたら、映像切換部９及び音声切換部１２で映像データ及び音声データを切り換えることで、決定キー１０５が押されたら直ちに新しく選択されたチャンネルの映像及び音声を出力させることができる点では実施の形態１と同じである。
【００５６】
図８及び図９は、実施の形態２のディジタル放送受信装置の動作を示す。図８はチャンネルを選択する際の動作を示し、図９はチャンネルの選択の後、決定キー１０５を押下したときの動作を示す。
【００５７】
以下、図１、図２、図３、図４、図５（Ａ）乃至図５（Ｅ）、図８及び図９を参照してさらに詳しく説明する。
【００５８】
一例として、実施の形態１の説明と同じく、映像出力装置１０及び音声出力装置１３により出力され、ユーザが現在視聴している映像および音声が、第１の復調部５で受信しているテレビジョン放送信号を復号することにより得られた映像データ及び音声データによるものであるとする。また第１の復調部５で受信（選択）されているチャンネルの番号が「１０３」であり、第２の復調部６で受信されている復調部の番号が「０２１」であるものとする。
【００５９】
このときメモリ３に保存されている「復調部状態を表すデータ」を図５（Ａ）に示す。図５（Ａ）に示すようにメモリ３に保存されている「復調部状態を表すデータ」には、第１及び第２の復調部で受信することが指示されているチャンネルを表すデータ（「受信チャンネル」）のほか、「デコード開始フラグ」及び「出力有効フラグ」が含まれ、これらがそれぞれの欄（フィールド）に記憶されている。
【００６０】
「デコード開始フラグ」は、対応する復調部の出力をＭＰＥＧ映像デコーダ８、ＭＰＥＧ音声デコーダ１１で復号することを制御部１が指示しているときは「１」であり、そうでないときは「０」である。
「出力有効フラグ」は、対応する復調部の出力をＭＰＥＧ映像デコーダ８及びＭＰＥＧ音声デコーダ１１で復号したものを映像切換部９及び音声切換部１２で選択することを制御部１が指示しているときは「１」であり、そうでないときは「０」である。
【００６１】
図５（Ａ）の状態では、第１及び第２の復調部５及び６の出力の双方について復号が指示されているので、「デコード開始フラグ」がともに「１」であり、第１の復調部５の出力を復号したものを映像切換部９及び音声切換部１２で選択することが指示されているので、第１の復調部のための「出力有効フラグ」が「１」であり、第２の復調部のための「出力有効フラグ」が「０」である。
【００６２】
まず、図８を参照してユーザがＧＵＩを用いてチャンネルを選択する時の動作説明を行う。
ユーザがリモコン１６のＧＵＩ表示キー１００を押下すると（ステップＳ２０）、キー操作受信部２がこれを表す信号を受信して制御部１に送り、制御部１がこれに基づいて例えば図４に示すＧＵＩ（２０２）を表示する。
【００６３】
次に制御部１内の図示しない計測手段、即ちタイマが一定時間の計測を開始する（ステップＳ２１）。
【００６４】
次にカーソル位置のチャンネル番号を取得する（ステップＳ２２）。
次にステップＳ２２で取得したチャンネル番号と前回取得したチャンネル番号との比較を行う（ステップＳ２３）。
【００６５】
ステップＳ２３で比較した結果、チャンネル番号が同じである場合は一定時間の経過を待ち（ステップＳ３０）、その後ステップＳ２１に戻る。
【００６６】
ステップＳ２３で比較した結果、チャンネル番号が異なっている場合はメモリ３に保存されている「復調部状態を表すデータ」を参照して「出力有効フラグ」の欄が「０」になっている復調部、図示の例では第２の復調部に対する「受信チャンネル」の欄及び「デコード開始フラグ」の欄に、図５（Ｂ）に示すように「０」を書き込む（ステップＳ２４）。このようにして、これから裏で受信を開始する復調部を判別する。
【００６７】
第２の復調部に対する復調部状態をクリアすると、次に、ステップＳ２２で取得したチャンネル番号を制御部１が第２の復調部６に通知するとともに、メモリ３に保存されている第２の復調部に対する「受信チャンネル」の欄に、図５（Ｃ）に示すように、取得したチャンネル番号を書き込む（ステップＳ２５）。
【００６８】
ステップＳ２５で通知を受けた第２の復調部６は、通知されたチャンネル番号の受信を開始してＴＳ（トランスポートストリーム）データを抽出する（ステップＳ２６）。このＴＳデータには、映像データ、音声データのほか、番組付加情報が含まれる。
【００６９】
ステップＳ２６で第２の復調部６からＴＳ（トランスポートストリーム）データが出力されるとデマルチプレクサ７はＭＰＥＧ映像データおよびＭＰＥＧ音声データを抽出し、それぞれＭＰＥＧ映像デコーダ８および第２のＭＰＥＧ音声デコーダ１１へ出力する（ステップＳ２７）。番組付加情報はメモリ３に記憶される。
【００７０】
ＭＰＥＧ映像デコーダ８およびＭＰＥＧ音声デコーダ１１は、ＭＰＥＧ映像データおよびＭＰＥＧ音声データを復号して映像および音声データを出力する（ステップＳ２８）。
【００７１】
次にＭＰＥＧ映像デコーダ８から映像切換部９へ映像データが出力されると、制御部１がメモリ３に保存されている第２の復調部に対する「デコード開始フラグ」の欄に、図５（Ｄ）に示すように「１」を書き込む（ステップＳ２９）。
【００７２】
ステップＳ３０で一定時間の経過を待ってステップＳ２１に戻るので、ステップＳ２３でＮＯの場合には、ステップ２１における計時開始から一定時間経過後にステップＳ２１に戻り、ステップＳ２２で再びカーソル位置をチェックすることになる。
【００７３】
次に、ユーザがＧＵＩを操作してチャンネルを選択し、決定キーを押下した時の動作を、図９を参照して説明する。
【００７４】
図８を参照して上記したように、ユーザがＧＵＩを用いて所望のチャンネルを選択した後、リモコン１６の決定キー１０５を押下する（ステップＳ４０）と、制御部１内の、上記した図示しない計測手段即ちタイマの上記一定時間の計測を停止させ、同時に決定キー１０５が押下されたときに、カーソル位置のチャンネル番号を取得する（ステップＳ４１）。
【００７５】
次に、メモリ３に保存されている第２の復調部に対する「受信チャンネル」の欄のチャンネル番号（ステップＳ２２の処理で取得されたチャンネル番号）と、決定キーを押下したときのカーソル位置のチャンネル番号（ステップＳ４１の処理で取得したチャンネル番号）を比較し、同一かどうかの判定をする。言いかえると、これらの間の整合性を判定する（ステップＳ４２）。
【００７６】
ステップＳ４２で比較した結果、チャンネル番号が異なっている場合はステップＳ２４〜Ｓ２９（図８参照）と同様の処理を実行してステップＳ４４に進む（ステップＳ４３）。
【００７７】
ステップＳ４２で比較した結果、チャンネル番号が同じである場合はメモリ３に保存されている第２の復調部に対する「受信チャンネル」の欄のチャンネル番号と現在出力中（視聴中）のチャンネル番号、即ち第１の復調部に対する「受信チャンネル」の欄のチャンネル番号との比較を行う（ステップＳ４４）。
【００７８】
ステップＳ４４における比較の結果、チャンネル番号が同じである場合は処理を終了する。即ちこの場合にはチャンネルの切り替えを行わない。より詳しく言うと、第２の復調部で受信した信号を復号した結果得られる映像信号及び音声信号の出力の開始を行わない。こうすることで、ユーザが視聴中のチャンネルと同じチャンネルの映像および音声データに切り換えてしまうことで発生する違和感をユーザに与えることを防ぐことができる。
【００７９】
ステップＳ４４における比較の結果、チャンネル番号が異なっている場合は、メモリ３に保存されている第２の復調部に対する「デコード開始フラグ」の欄が「１」にセットされるのを待って、ステップＳ４６に進む。
【００８０】
ステップＳ４６では、制御部１が映像切換部９および音声切換部１２に対して切換命令を通知するとともに、図５（Ｅ）に示すように、メモリ３に保存されている第２の復調部に対する「出力有効フラグ」の欄に「１」を書き込み、第１の復調部に対する「出力有効フラグ」の欄に「０」を書き込む。
【００８１】
ステップＳ４６で通知を受けた映像切換部９および音声切換部１２は、映像及び音声データを切り換える。即ち、これまで選択していた、第１の復調部５で受信しているテレビジョン放送信号を復号した結果得られた映像および音声データの代わりに、第２の復調部６で受信しているテレビジョン放送信号を復号した結果得られた映像および音声データを選択して、映像出力装置１０および音声出力装置１３へ出力する（ステップＳ４７）。このとき、同時に番組付加情報（ステップＳ２７でメモリ３に記憶されたもの）をメモリ３から読み出
して、映像合成部１５に供給する。映像合成部１５では、番組付加情報を映像に合成して出力する。
【００８２】
ステップＳ４７で出力が開始されると、制御部１は第１の復調部５に対して受信停止命令を通知して第１の復調部５は受信処理を停止する（ステップＳ４８）。このように受信停止を行うことで、消費電力の増加を抑えることができる。
【００８３】
本実施の形態２は以上のように構成されているので、テレビジョン放送信号を受信する第１の復調部および第２の復調部を備えたディジタル放送受信装置において、ユーザがＧＵＩを用いて選局を行う際に、周期的に、例えば一定時間間隔でＧＵＩ上のカーソル位置のチャンネル番号を取得し、現在映像切換部及び音声切換部で選択されている復調部（選択されている映像データ、音声データの元となっている放送信号を受信している復調部）とは異なる復調部で取得したチャンネル番号の受信を開始して映像および音声データを復号しておき、ユーザが決定キー１０５を押下した時、出力する映像および音声データを切り換えることですばやく映像および音声の再生を行うことができるため、選局時にユーザに与える違和感を無くし、かつ備えた復調部数が２つであるためコストおよび基板サイズおよび消費電力の増加を抑えることができる。
【００８４】
実施の形態３．
上記の実施の形態１では、ＧＵＩとしてチャンネル一覧を含むものを用いているが、代わりにＧＵＩとして、電子番組ガイドを含むものを用いても良い。
電子番組ガイドを含むＧＵＩの一例を図１０に示す。図示の例のＧＵＩは例えば図３のＧＵＩ表示部分２０２に、図４のＧＵＩの代わりに表示されるものである。この電子番組ガイドは、例えば縦の時間軸上にチャンネル毎の番組の時間割を示すものである。この場合、各番組がボタンとなり、カーソルＣＳがそれに重ねて表示される。このカーソルＣＳはボタンの周縁に沿う太線（枠線）で構成されている。電子番組ガイドは、現在放送されている番組のほか、将来放送される番組が含まれる。このような電子番組ガイドを含むＧＵＩの場合には、番組の選択によって、その番組が放送されるチャンネルが選択される。
【００８５】
この場合チャンネルを選択するときの動作及びチャンネルを決定するときの動作は、図１１及び図１２に示すごとくである。図１１に示す処理は、図６と概して同じであるが、ステップＳ３の前にステップＳ５１が挿入されている点で異なる。ステップＳ５１では、カーソルによって選択されている番組が、現在放送されている番組ではなく、将来放送される予定の番組（未来番組）であるかどうかの判定を行い、未来番組である場合には、ステップＳ１に戻る。これにより、カーソルによって選択されている番組が、将来放送される予定の番組である場合には、カーソルにより選択されている番組を放送するチャンネルの放送信号の復号を開始するための動作を行わない。同じチャンネルであっても現在放送されている番組は、ユーザが選択している番組とは異なるものであり、そのような番組を表示してもユーザの意向には沿わないものとなるからである。
【００８６】
図１２に示す処理は、図７と概して同じであるが、ステップＳ１４の次にステップＳ５３が挿入されている点で異なる。ステップＳ５３では、カーソルによって選択されている番組が、現在放送されている番組ではなく、将来放送される予定の番組（未来番組）であるかどうかの判定を行い、未来番組である場合には、処理を終了し、ステップＳ１４には進まない。これにより、カーソルによって選択されている番組が、将来放送される予定の番組である場合には、映像切換部９及び音声切換部１２における切換（第１のチャンネルから第２のチャンネルへの切換）などの処理を行わない。
上記の構成によれば、カーソル電子番組ガイドにより未来番組が選択されたときに、チャンネルへの切り替えを行わないので、ユーザの意図に反したチャンネルの切替えを防ぐことができる。
【００８７】
実施の形態４．
実施の形態１に対する変形例として説明した実施の形態３と同様の変形を実施の形態２に対して加えることができる。
【００８８】
この場合チャンネルを選択するときの動作及びチャンネルを決定するときの動作は、図１３及び図１４に示すごとくである。図１３に示す処理は、図８と概して同じであるが、ステップＳ２３の前にステップＳ５５が挿入されている点で異なる。ステップＳ５５では、カーソルによって選択されている番組が、現在放送されている番組ではなく、将来放送される予定の番組（未来番組）であるかどうかの判定を行い、未来番組である場合には、ステップＳ３０に進む。カーソルによって選択されている番組が、将来放送される予定の番組である場合には、カーソルにより選択されている番組を放送するチャンネルの放送信号の復号を開始するための動作を行わない。
【００８９】
図１４に示す処理は、図９と概して同じであるが、ステップＳ４２の前にステップＳ５７が挿入されている点で異なる。ステップＳ５７では、カーソルによって選択されている番組が、現在放送されている番組ではなく、将来放送される予定の番組（未来番組）であるかどうかの判定を行い、未来番組である場合には、処理を終了し、ステップＳ４２には進まない。これにより、カーソルによって選択されている番組が、将来放送される予定の番組である場合には、映像切換部９及び音声切換部１２における切換（第１のチャンネルから第２のチャンネルへの切換）などの処理を行わない。
なお、ステップＳ５７を図示のようにステップＳ４２の前に挿入する場合、ステップＳ４３の処理の後、ステップＳ５７に進むことになる。
上記の構成によれば、カーソル電子番組ガイドにより未来番組が選択されたときに、チャンネルへの切り替えを行わないので、ユーザの意図に反したチャンネルの切替えを防ぐことができる。
【００９０】
実施の形態５．
ＧＵＩとしては、実施の形態１や実施の形態２で述べたようにチャンネル一覧を表示する場合や、実施の形態３や実施の形態４で述べたように電子番組ガイドを表示する場合のほか、
ユーザ設定によるチャンネル一覧（例えば、お好みチャンネル一覧）又は、裏番組一覧（現在視聴している番組以外の番組の一覧）、選局可能なチャンネル一覧（受信契約などにより受信可能なチャンネルの一覧、或いは、当該ディジタル放送受信装置が現在置かれている地理的位置において受信可能なチャンネルの一覧）を表示することとしても良い。
上記の構成によれば、チャンネルを選択するための種々のＧＵＩに対応することができる。
【図面の簡単な説明】
【００９１】
【図１】本発明の実施の形態１を示すブロック図である。
【図２】本発明の実施の形態１で用いられるリモコンの操作部を示す概略図である。
【図３】本発明の実施の形態１で用いられるＧＵＩを含む画面を示す概略図である。
【図４】本発明の実施の形態１で用いられるＧＵＩを示す概略図である。
【図５】（Ａ）乃至（Ｅ）は、それぞれ、選局開始時、クリア時、受信チャンネル欄設定時、デコード開始フラグ欄設定時、及び出力有効フラグ欄設定時におけるメモリに保存される復調部状態の一例を示す図である。
【図６】本発明の実施の形態１の選局操作を示すフロー図である。
【図７】本発明の実施の形態１の選局決定処理を示すフロー図である。
【図８】本発明の実施の形態２の選局操作を示すフロー図である。
【図９】本発明の実施の形態２の選局決定処理を示すフロー図である。
【図１０】本発明の実施の形態３で用いられるＧＵＩを示す概略図である。
【図１１】本発明の実施の形態３の選局操作を示すフロー図である。
【図１２】本発明の実施の形態３の選局決定処理を示すフロー図である。
【図１３】本発明の実施の形態４の選局操作を示すフロー図である。
【図１４】本発明の実施の形態４の選局決定処理を示すフロー図である。
【符号の説明】
【００９２】
１  制御部、  ２  キー操作受信部、  ３  メモリ、  ４  アンテナ、  ５  第１の復調部、  ６  第２の復調部、  ７  デマルチプレクサ、  ８  ＭＰＥＧ映像デコーダ、  ９  映像切換部、  １０  映像出力装置、  １１  ＭＰＥＧ音声デコーダ、  １２  音声切換部、  １３  音声出力装置、  １５  映像合成部、  １６  リモコン、  ２１  映像信号処理回路、  ２２  音声信号処理回路。
【図１】
2006238276.tif 000003
【図２】
2006238276.tif 000004
【図３】
2006238276.tif 000005
【図４】
2006238276.tif 000006
【図５】
2006238276.tif 000007
【図６】
2006238276.tif 000008
【図７】
2006238276.tif 000009
【図８】
2006238276.tif 000010
【図９】
2006238276.tif 000011
【図１０】
2006238276.tif 000012
【図１１】
2006238276.tif 000013
【図１２】
2006238276.tif 000014
【図１３】
2006238276.tif 000015
【図１４】
2006238276.tif 000016